(57)【要約】      （修正有）【課題】容器部内の中身を外部から観測することのできる化粧品容器を提供する。【解決手段】化粧品容器１０００は、中身が収容される容器部１００と、前記容器部１００に収容された中身が外部に吐き出される吐出部２００と、前記容器部１００の上側に設けられるショルダー部３００と、を備え、前記ショルダー部３００には、透明材質からなる透視部が形成され、内側に位置した前記中身が前記透視部により外部から観測される。【選択図】図３
2020163118.tif 000002
【特許請求の範囲】
【請求項１】
化粧品容器であって、
中身が収容される容器部と、
前記容器部に収容された中身が外部に吐き出される吐出部と、
前記容器部の上側に設けられるショルダー部と、を備え、
前記ショルダー部には、透明材質からなる透視部が形成され、内側に位置した前記中身が前記透視部により外部から観測される化粧品容器。
【請求項２】
前記容器部内の前記中身を前記吐出部に移動させるポンプ部と、
前記ショルダー部の上側に設けられ、内側に前記ポンプ部が設けられるヘッド部と、をさらに備える、請求項１に記載の化粧品容器。
【請求項３】
前記ショルダー部は、
前記容器部の口部の上側に設けられるが、内側に前記中身が位置するように中空が形成され、外側に前記透視部が延長形成されるショルダー本体と、
前記容器部内に挿入結合するように、前記ショルダー本体から下側に延長形成される下側支持部と、
前記ヘッド部の内側に挿入結合するように、前記ショルダー本体から上側に延長形成される上側支持部と、を有する、請求項２に記載の化粧品容器。
【請求項４】
前記ショルダー本体の内壁と前記ポンプ部との間の空間に、前記中身が配置され、前記透視部により観測される、請求項３に記載の化粧品容器。
【請求項５】
前記上側支持部の内壁には、前記ポンプ部に当接して内側に延長形成される密閉部が形成され、前記密閉部は、前記中空を上側から密閉し、前記中身の上側への流出を防止する、請求項４に記載の化粧品容器。
【請求項６】
前記容器部は、チューブタイプで実現される、請求項１に記載の化粧品容器。
【請求項７】
一面が開放され、前記ヘッド部に脱着可能に結合するキャップをさらに備え、
前記キャップの他面により支持され、前記化粧品容器が起立され、
前記起立により、前記中身が前記ショルダー部の内側へ移動し、前記透視部により外部から観測される、請求項２に記載の化粧品容器。
【請求項８】
前記キャップの他面は、平板に形成される、請求項７に記載の化粧品容器。
【請求項９】
前記吐出部は、前記ポンプ部と連通し、前記中身が吐き出される吐出孔と、使用者の外力が加えられ、上下移動するボタン部と、を有する、請求項２に記載の化粧品容器。
【発明の詳細な説明】
【技術分野】
【０００１】
本発明は、化粧品容器に係り、さらに詳しくは、容器部内の中身を外部から観測することのできる化粧品容器に関する。
【背景技術】
【０００２】
従来のチューブ状容器は、不透明な材質で製造されるので、内部に収容された中身を目視では把握しづらいという問題があった。特に、チューブ状容器内に色調の中身が収容される場合、色調の中身が実際に有している色を直観的に確認しづらいという問題点があった。色調の中身の色を把握するためには、チューブ状容器から中身を吐き出すという煩雑な過程を経なければならなかったからである。
【０００３】
これを解決するための様々な容器が試みられている。まず、図６の（ａ）に示すように、容器の一部領域を中身と同じ色相で表示したものがある。これは、使用者にとって、容器の見掛けを見て中身の色を把握するようにするためのものであるが、実際では、容器に現れる色相が中身の色相と一致せず、中身の正確な色相や色感が把握できないという問題があった。特に、いろいろな色調の中身の場合、中身の色相別に別途の容器を全て製造しなければならず、製造工程や経済性の面で非効率的な問題があった。
【０００４】
また、図６の（ｂ）に示すように、チューブの一部を透明材質にしてもよい。このため、透明材質のチューブにより、内部に収容された中身が外部から観測される。しかし、この場合、容器部が一体で形成されるのではなく、透明材質の容器部と不透明材質の容器部がそれぞれ製造されてから、組立／結合されなければならないため、製造工程が複雑となり、不良率が高くなり、非経済的であるという問題があった。
【０００５】
したがって、このような諸問題を解決することのできる技術が求められる。
【発明の概要】
【発明が解決しようとする課題】
【０００６】
本発明は、前記諸問題を解決するためのものであり、容器部内の中身を外部から観測することのできる化粧品容器を提供することを目的とする。
【０００７】
本発明の技術的課題は、上述した技術的課題に何ら制限されるものではなく、未言及の他の技術的課題は、次の記載から当業者にとって明らかに理解できる筈である。
【課題を解決するための手段】
【０００８】
本発明の一実施形態により、化粧品容器が提供される。前記容器は、中身が収容される容器部と、前記容器部に収容された中身が外部に吐き出される吐出部と、前記容器部の上側に設けられるショルダー部と、を備え、前記ショルダー部には、透明材質からなる透視部が形成され、内側に位置した前記中身が前記透視部により外部から観測されてもよい。
【０００９】
好ましくは、前記容器部内の前記中身を前記吐出部に移動させるポンプ部と、前記ショルダー部の上側に設けられ、内側に前記ポンプ部が設けられるヘッド部と、をさらに備えてもよい。
【００１０】
また、好ましくは、前記ショルダー部は、前記容器部の口部の上側に設けられるが、内側に前記中身が位置するように中空が形成され、外側に前記透視部が延長形成されるショルダー本体と、前記容器部内に挿入結合するように、前記ショルダー本体から下側に延長形成される下側支持部と、前記ヘッド部の内側に挿入結合するように、前記ショルダー本体から上側に延長形成される上側支持部と、を有してもよい。
【００１１】
さらに、好ましくは、前記ショルダー本体の内壁と前記ポンプ部との間の空間に、前記中身が配置され、前記透視部により観測されてもよい。
【００１２】
さらにまた、好ましくは、前記上側支持部の内壁には、前記ポンプ部に当接して内側に延長形成される密閉部が形成され、前記密閉部は、前記中空を上側から密閉し、前記中身の上側への流出を防止してもよい。
【００１３】
さらにまた、好ましくは、前記容器部は、チューブタイプで実現されてもよい。
【００１４】
さらにまた、好ましくは、一面が開放され、前記ヘッド部に脱着可能に結合するキャップをさらに備え、前記キャップの他面により支持され、前記化粧品容器が起立され、前記起立により、前記中身が前記ショルダー部の内側へ移動し、前記透視部により外部から観測されてもよい。
【００１５】
さらにまた、好ましくは、前記キャップの他面は、平板に形成されてもよい。
【００１６】
さらにまた、好ましくは、前記吐出部は、前記ポンプ部と連通し、前記中身が吐き出される吐出孔と、使用者の外力が加えられ、上下移動するボタン部と、を有してもよい。
【発明の効果】
【００１７】
本発明によれば、少なくとも一部が透明材質からなるショルダー部により中身を外部から観測することができる。これにより、中身の確認のために、中身を実際に吐き出したり、または容器部の一部を透明材質としたりする煩雑さと非効率性を無くすことができる。
【００１８】
また、キャップによる化粧品容器の起立時、中身がショルダー部の内側へ自然に移動して、外部観察が可能になる。
【図面の簡単な説明】
【００１９】
本発明の詳細な説明の欄において引用される図面をより十分に理解するために、各図面についての簡単な説明が提供される。
【図１】本発明の一実施形態に係る化粧品容器の斜視図である。
【図２】本発明の一実施形態に係る化粧品容器の分解図である。
【図３】本発明の一実施形態に係る化粧品容器の部分断面図である。
【図４】本発明の一実施形態に係る化粧品容器の使用状態を示す図である。
【図５】本発明の一実施形態に係る化粧品容器の例示を示す図である。
【図６】従来のチューブ状の化粧品容器を示す図である。
【発明を実施するための形態】
【００２０】
以下、添付図面に基づき、本発明に係る例示的な実施形態について説明する。各図面における同一の参照番号または符号は、実施的に同一の機能を行う部品または構成要素を示す。以下に記載される便宜上の上下左右の方向は、図面を基準としたものであり、当該方向に本発明の権利範囲が必ずしも限定されることはない。
【００２１】
本明細書で用いられた用語は、ただ実施形態の説明のために用いられたものであり、本発明を制限及び／または限定する意図ではない。単数の表現は、文脈上明白に異なって意味しない限り、複数の表現を含む。本明細書において、「含む」、「備える」または「有する」という用語は、明細書上に記載された特徴、数字、段階、動作、構成要素、部品、またはそれらの組み合わせが存在するということを指定するものであって、一つ、またはそれ以上の他の特徴、数字、段階、動作、構成要素、部品、またはそれらの組み合わせの存在または付加の可能性をあらかじめ排除するものではないと理解されなければならない。本実施形態は、多様な変換を加えることができ、さまざまな実施例を有することができるが、特定実施形態を図面に例示し、詳細な説明で詳細に説明する。しかし、それらは、特定の実施形態について範囲を限定するものではなく、開示された思想及び技術範囲に含まれる全ての変換、均等物ないし代替物を含むものであると理解されなければならない。実施形態についての説明において、関連公知技術についての具体的な説明が要旨を不明確にすると判断される場合、その詳細な説明を省略する。
【００２２】
第１、第２のような用語は、多様な構成要素についての説明に使用されるが、構成要素は、用語によって限定されるものではない。用語は、１つの構成要素を他の構成要素から区別する目的にのみ使用される。
【００２３】
本出願で使用された用語は、ただ特定の実施形態についての説明に使用されたものであり、権利範囲を限定する意図ではない。単数の表現は、文脈上明白に異なって意味しない限り、複数の表現を含む。本出願において、「含む」または「構成される」というような用語は、明細書上に記載された特徴、数字、段階、動作、構成要素、部品、またはそれらの組み合わせが存在するということを指定するものであって、一つ、またはそれ以上の他の特徴、数字、段階、動作、構成要素、部品、またはそれらの組み合わせの存在または付加の可能性をあらかじめ排除するものではないと理解されなければならない。
【００２４】
明細書の全般に亘って、ある部分が他の部分と連結されているとしたとき、これは、直接的に連結されている場合だけではなく、これらの間に他の素子を挟んで電気的に連結されている場合も含む。また、ある部分がある構成要素を備えるとしたとき、これは、特に断りのない限り、他の構成要素を除外するものではなく、他の構成要素をさらに備えていてもよいことを意味する。
【００２５】
図１は、本発明の一実施形態に係る化粧品容器の斜視図であり、図２は、本発明の一実施形態に係る化粧品容器の分解図であり、図３は、本発明の一実施形態に係る化粧品容器の部分断面図である。
【００２６】
図１乃至図３を参照すると、化粧品容器１０００は、容器部１００、吐出部２００、ショルダー部３００、ポンプ部４００、ヘッド部５００、及びキャップ６００を備える。
【００２７】
容器部１００は、中身が収容される収容空間を提供する。容器部１００に収容された中身は、吐出部２００などから外部に吐出され、使用者により使われる。ここで、中身は、化粧品（すなわち、化粧料）や薬品であってもよいが、これに限定されるものではなく、容器部１００に収容され、吐出部２００から排出されるものであれば、様々な種類または成分の物質が含まれてもよい。液状、ゲル状、粉末など、中身の剤形も多様であってもよい。また、容器部１００が、チューブタイプとして示されているが、これは、例示的なものであって、瓶（ｂｏｔｔｌｅ）、トトル（ｔｏｔｔｌｅ） などの様々なタイプの容器部１００が用いられてもよい。
【００２８】
容器部１００の上側の口部の内側にショルダー部３００が結合される。具体的に、容器部１００の上端部の内側には、結合部１１０が設けられ、結合部１１０は、容器部１００の上端の内面に密着する形状を有する上壁、及び上壁から下方へ延長する内壁を有する。内壁には、ショルダー部３００の下側支持部３２０の結合突起が結合する結合溝が形成される。また、内壁の下端は、係止段を形成している。ショルダー部３００が結合部１１０に結合されるとき、ショルダー部３００の下側支持部３２０の係止突起が係止段に係止されながら、ショルダー部３００が容器部１００から離脱することを防止することができる。結合部１１０の上壁の下端には、少なくとも一つの補強部材が放射状に形成され、結合部１１０の上壁及び容器部１００の上端の外形を維持し、強度を補強することができる。
【００２９】
一実施形態において、上壁の内側には、パッキング部材が定着される定着溝が形成さる。結合部１１０にショルダー部３００の下側支持部３２０が結合されるとき、ショルダー部３００のショルダー本体３１０がパッキング部材を加圧することにより、容器部１００内の中身の密閉を達成することができる。パッキング部材は、例えば、ゴム、シリコンなどの種々の構成が適用可能である。
【００３０】
吐出部２００は、容器部１００に収容された中身を外部に吐出する。このため、吐出部２００には、容器部１００と連通するが、容器部１００から流入した中身が排出される吐出孔２１０が形成される。吐出部２００内の中身は、容器部１００から直・間接的に流入されてもよい。例えば、図示のように、容器部１００内の中身が、ポンプ部４００を経て、吐出部２００の吐出孔２１０に流入するようにしてもよい。このとき、吐出部２００の上端には、使用者の外力が加えられるボタン部２２０が形成される。ボタン部２２０により吐出部２００が上下に移動しながら、ポンプ部４００に加圧力を伝えることができる。
【００３１】
ショルダー部３００は、容器部１００の上側に設けられ、透明材質または半透明材質からなる透視部が形成される。ショルダー部３００は、内部に位置した中身が透視部により外部から観測される。実施形態により、ショルダー部３００の一部である透視部のみが透明材質または半透明材質で形成されてもよく、またはショルダー部３００の全体が透明材質または半透明材質で形成されてもよい。後者の場合、ショルダー部３００のうち、外部に露出して使用者により観測可能な領域が透視部として定義される。ショルダー部３００は、ショルダー本体３１０、下側支持部３２０、及び上側支持部３３０を有する。
【００３２】
ショルダー本体３１０は、容器部１００の上側に設けられるが、外側に透視部が延長形成され、内側には中空を有する。中空には中身が位置する。したがって、中空内の中身が透視部により外部から観測される。
【００３３】
下側支持部３２０は、ショルダー本体３１０から下側ヘ延長形成され、容器部１００内に挿入される。このとき、下側支持部３２０の外面に形成された結合突起が、容器部１００の結合部１１０内の結合溝に結合される。また、下側支持部３２０の下端部には、結合部１１０の下端の係止段に係止される係止突起が外側に形成される。係止突起には、周りに沿って、少なくとも一つの緩衝溝が形成され、係止突起が結合部１１０の内壁を通って係止段に到達し易くする。
【００３４】
上側支持部３３０は、ショルダー本体３１０から上側へ延長形成される。上側支持部３３０の内側には、ポンプ部４００に当接するように内側へ延長形成される密閉部が形成される。密閉部は、ポンプ部４００（特に、シリンダー４１０の外壁）と一緒に中空を上側から密閉し、中身の上側への流出を防止することができる。また、上側支持部３３０の外側には結合突起が形成される。上側支持部３３０の結合突起は、ポンプ部４００のポンプハウジング４７０の内側に形成された結合溝と結合される。
【００３５】
ポンプ部４００は、容器部１００内の中身を吐出部２００に移動させる。ポンプ部４００は、内部の圧力変化により、容器部１００内の中身が流入され、吐出部２００から外部に吐出する。ポンプ部４００の圧力変化は、吐出部２００のボタン部２２０に加えられる使用者の加圧によるものである。ポンプ部４００は、シリンダー４１０、ピストン４２０、シール部４３０、ステム４４０、シャフト４５０、弾性部材４６０、及びポンプハウジング４７０を有する。
【００３６】
シリンダー４１０は、ショルダー部３００の内側に配置されるが、上端及び下端が貫通形成され、中身が流入及び流出される空間を提供する。シリンダー４１０は、ショルダー部３００の中空よりも小さな外径を有し、これにより、シリンダー４１０の外側に中身を位置させることができる。中空及びシリンダー４１０間に存在する中身は、ショルダー部３００（特に、ショルダー部３００の透視部）により外部から観測される。このとき、シリンダー４１０の外面の一領域は、ショルダー部３００の上側支持部３３０の密閉部と密着することにより、シリンダー４１０の外側に存在する中身が外部に流出することを防止する。シリンダー４１０がショルダー部３００の中空内に位置するにもかかわらず、上側支持部３３０の密閉部がシリンダー４１０の外壁を加圧支持することにより、シリンダー４１０の中空内での遊動を防止する。シリンダー４１０の上側には、周りに沿って外側に鍔部が形成される。鍔部の上側に位置するポンプハウジング４７０の内側支持部により支持され、シリンダー４１０の位置を固定する。シリンダー４１０の上端部は、シール部４３０と結合される。シリンダー４１０の下端は、容器部１００の内部に向かって延長形成され、容器部１００と連通する入口が形成される。入口または入口に隣接してバルブが設けられる。バルブは、逆止弁であって、シリンダー４１０の内圧が陽圧であれば、入口を密閉してから、シリンダー４１０の内圧が陰圧に変わると、入口を開放する。
【００３７】
ピストン４２０は、ステム４４０の開閉のためのものであって、外面がシリンダー４１０に密着し、内面がステム４４０と密着する。このとき、ピストン４２０の内面に作用する摩擦力よりも、ピストン４２０の外面に作用する摩擦力がさらに大きくなる。ピストン４２０の内面の下端がステム４４０の受け部に密着され、ステム４４０の流入口を密閉することができ、ピストン４２０を基準としてステム４４０が下降すると、ピストン４２０の下端がステム４４０の受け部から遠ざかるとともに、流入口が開放され、シリンダー４１０の内部に連通する。
【００３８】
シール部４３０は、シリンダー４１０の上端に結合され、下端がシリンダー４１０の内側に延長するようになり、ピストン４２０の上昇を抑制する。シール部４３０の外側には、下向きに屈曲した外壁が形成される。シール部４３０と内壁と外壁との間に形成された空間にシリンダー４１０の上端が引き込まれ、特に、シール部４３０の外壁の内側に形成された溝が、シリンダー４１０の外壁に形成された突起と結合する。また、シール部４３０の外壁には、ポンプハウジング４７０の水平支持部を支持する突起が外側に形成される。
【００３９】
ステム４４０は、シリンダー４１０の内部に設けられるが、下側がピストン４２０により取り囲まれ、上側がシャフト４５０に連結される。ステム４４０は、中空の管状であり、ステム４４０の下側には、ピストン４２０により開閉される流入口が形成され、ステム４４０の上側には、流入口から流入した中身が流出する流出口が形成される。また、ステム４４０の下端には受け部が形成され、受け部にピストン４２０の内面の下端が密着すると、流入口は、シリンダー４１０の内部空間から密閉される。ステム４４０は、シャフト４５０により、シリンダー４１０内において上下方向へ移動することができる。ステム４４０が下側へ移動すると、ピストン４２０の内面の下端が受け部から離隔しながら、流入口が開放され、シリンダー４１０の内部の中身がステム４４０の内部に流入される。ステム４４０が移動し続けると、中身は、流出口から排出されてから、シャフト４５０を経て吐出部２００の吐出孔２１０から吐き出される。ステム４４０が上側へ移動すると、シリンダー４１０は、ステム４４０の流入口を密閉し、シリンダー４１０の内部に陰圧が発生し、容器部１００内の中身がシリンダー４１０の内部に流入される。
【００４０】
シャフト４５０は、下端がステム４４０と結合され、上端が吐出部２００に結合される。シャフト４５０は、吐出部２００及びステム４４０と連通して上下移動する。シャフト４５０の上端には、外周面に沿って、羽根部が突出形成される。羽根部の下端には、弾性部材４６０が設けられる。
【００４１】
弾性部材４６０は、シャフト４５０及びシャフト４５０と連動するステム４４０、吐出部２００の位置復元のためのものであって、シャフト４５０とシール部４３０との間に設けられる。弾性部材４６０は、上端がシャフト４５０の羽根部の下面に密着され、下端がシール部４３０の上面の収容溝に密着される。使用者が吐出部２００を加圧すると、吐出部２００及びシャフト４５０が下側へ移動しながら弾性部材４６０が圧縮され、使用者が加圧を解除すると、弾性部材４６０の弾性力がシャフト４５０及び吐出部２００を上側に回復させることができる。弾性部材４６０は、例えば、スプリングで構成されてもよいが、これに限定されず、本発明が用いられる実施形態により、多様な弾性素材が用いられてもよい。また、弾性部材は、吐出部２００の位置復元が可能であれば、実現タイプや設置位置などが、特に限定されなくてもよい。
【００４２】
ポンプハウジング４７０は、ポンプ部４００内の他の構成、例えば、シリンダー４１０、ピストン４２０、シール部４３０、ステム４４０、シャフト４５０、及び弾性部材４６０の少なくとも一部が収容される空間を提供する。ポンプハウジング４７０は、下端がショルダー部３００のショルダー本体３１０の上端に定着され、内側には結合溝が形成され、ショルダー部３００の上側支持部３３０の外壁に形成された結合突起と結合される。また、ポンプハウジング４７０の外面は、ヘッド部５００の内面と密着する。
【００４３】
一実施形態において、ポンプ部４００は、パッキング部材をさらに有してもよい。パッキング部材は、シリンダー４１０の鍔部とショルダー部３００の上側支持部３３０との間に位置する。パッキング部材は、シリンダー４１０とショルダー部３００を堅固に密着させ、またショルダー部３００の中空内の中身が外部に流出することを二次的に防止することができる。パッキング部材は、例えば、ゴム、シリコンなどの種々の構成が適用可能である。
【００４４】
ヘッド部５００は、ショルダー部３００の上側に設けられ、内側にポンプ部４００が設けられる。ヘッド部５００は、内部のポンプ部４００を覆い、上端が開放され、吐出部２００が上下移動可能な空間を提供する。ヘッド部５００の外側には、少なくとも一つの結合突起が形成され、キャップ６００が脱着可能に結合される。
【００４５】
キャップ６００は、吐出部２００を外部から開放または密閉し、このため、キャップ６００は、一面が開放され、他面が密閉されるが、前記一面側が、ヘッド部５００に脱着可能に結合される。このとき、化粧品容器１０００は、キャップ６００の他面により支持されて起立されてもよい。このような起立により、容器部１００内の中身をショルダー部３００の内側へ移動させる。これは、ショルダー部３００の内側の中身を、透視部により外部から観測させるためである。キャップ６００による起立のために、キャップ６００の他面は、例えば、平板に形成されてもよいが、これに限定されるものではなく、本発明が用いられる実施形態により、種々の構成がキャップ６００に対して適用可能である。
【００４６】
一実施形態において、ショルダー部３００の少なくとも一部が透明または半透明材質からなるのとは異なり、化粧品容器１０００の他の構成は、不透明材質からなってもよい。しかし、これは、例示的なものであって、化粧品容器１０００の他の構成の少なくとも一部が、ショルダー部３００と同様に、透明または半透明材質からなってもよい。
【００４７】
一実施形態において、化粧品容器１０００は、ポンプ部４００無しに実現されてもよい。すなわち、化粧品容器１０００は、容器部１００、吐出部２００、ショルダー部３００、ヘッド部５００、及びキャップ６００を有し、容器部１００内の中身は、ショルダー部３００及びヘッド部５００を経て、吐出部２００から吐き出される。ショルダー部３００の内側の中身が外部から観測可能であり、実施形態により、ショルダー部３００とヘッド部５００及び吐出部２００のうち、少なくとも一部は互いに結合され、または一体で形成されてもよい。
【００４８】
上述した構成間の結合方式は、例示的なものであって、本発明が用いられる実施形態により、種々の構成が適用可能である。例えば、突起と溝の間の嵌合時、突起と溝の形成位置や形態などが変更されてもよく、また嵌合ではなく、螺合などが用いられてもよい。
【００４９】
図４は、本発明の一実施形態に係る化粧品容器の使用状態を示す図であり、図５は、図４の化粧品容器の例示を示す図である。
【００５０】
図４及び図５を参照すると、化粧品容器１０００は、キャップ６００が結合された状態で、キャップ６００により支持されて起立される。容器部１００がチューブタイプで実現されても、キャップ６００による起立が可能である。特に、チューブタイプの容器部１００は、キャップ６００による起立状態が主な保管及び維持状態であってもよい。
【００５１】
図示のように、キャップ６００により化粧品容器１０００が起立する場合、容器部１００内の中身Ｃは、ショルダー部３００に向かって移動する。このとき、ショルダー部３００の上側支持部３３０に形成された密閉部が、ポンプ部４００のシリンダー４１０の外壁と当接しながら、中身Ｃがさらに下方へ移動することを防止することができる。中身Ｃは、ショルダー部３００のショルダー本体３１０とポンプ部４００のシリンダー４１０との間の空間に配置され、これにより、ショルダー本体３１０の透視部により外部から観測される。
【００５２】
このように本発明では、ショルダー本体３１０の透視部により中身Ｃを観測することができるので、中身Ｃの確認のために中身Ｃを吐き出したり、または容器部１００の一部を透明にしたりする必要がない。また、ショルダー部３００以外の構成は、不透明にすることにより、化粧品容器１０００の内部構成が不要に露出することを防止することができる。
【００５３】
一方、図４及び図５と関連して、キャップ６００による化粧品容器１０００の起立時、中身の観測過程について説明しているが、これは、例示的なものであって、このような起立以外も、ショルダー部３００の内側に中身が位置する状態や姿勢では、ショルダー部３００による中身の外部観測が可能であることが自明である。
【００５４】
上述のように、本発明は、たとえ限定された実施形態と図面によって説明されたが、当該技術の分野における通常の知識を有する者であれば、このような記載から多様な修正および変形が可能である。また、それぞれの実施形態は、必要に応じて互いに組み合わせられて運用することができる。例えば、本発明の一実施形態と他の一実施形態の一部分が互いに組み合わせられて装置の動作が運用されてもよい。このため、他の実現など、他の実施形態、及び特許請求の範囲と均等なものも、後述する特許請求の範囲に属する。
【符号の説明】
【００５５】
１００  容器部
１１０  結合部
２００  吐出部
２１０  吐出孔
２２０  ボタン部
３００  ショルダー部
３１０  ショルダー本体
３２０  下側支持部
３３０  上側支持部
４００  ポンプ部
４１０  シリンダー
４２０  ピストン
４３０  シール部
４４０  ステム
４５０  シャフト
４６０  弾性部材
４７０  ポンプハウジング
５００  ヘッド部
６００  キャップ
１０００  化粧品容器
【図１】
2020163118.tif 000003
【図２】
2020163118.tif 000004
【図３】
2020163118.tif 000005
【図４】
2020163118.tif 000006
【図５】
2020163118.tif 000007
【図６】
2020163118.tif 000008
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
化粧品容器であって、
中身が収容される容器部と、
前記容器部に収容された前記中身が外部に吐き出される吐出部と、
前記容器部の上側に設けられるショルダー部と、
前記ショルダー部の上側に設けられ、前記吐出部を外部から開放または密閉するキャップと、を備え、
前記ショルダー部は、前記容器部の口部の上側に設けられるが、内側に前記中身が位置するように中空が形成され、外側に透明材質からなる透視部が延長形成されるショルダー本体を有し、
前記キャップの結合時、前記キャップが、前記ショルダー本体の上側に配置され、前記透視部が外部に露出し、前記化粧品容器は、前記キャップの一面により支持されて起立され、
前記起立により、前記中身が前記ショルダー本体の前記中空へ移動することにより、前記中空内に位置した前記中身が、前記透視部により外部から観測される化粧品容器。
【請求項２】
前記容器部内の前記中身を前記吐出部に移動させるポンプ部と、
前記ショルダー部の上側に設けられ、内側に前記ポンプ部が設けられるヘッド部と、をさらに備える、請求項１に記載の化粧品容器。
【請求項３】
前記ショルダー部は、
前記容器部内に挿入結合するように、前記ショルダー本体から下側に延長形成される下側支持部と、
前記ヘッド部の内側に挿入結合するように、前記ショルダー本体から上側に延長形成される上側支持部と、をさらに有する、請求項２に記載の化粧品容器。
【請求項４】
前記ショルダー本体の内壁と前記ポンプ部との間の空間に、前記中身が配置され、前記透視部により観測される、請求項３に記載の化粧品容器。
【請求項５】
前記上側支持部の内壁には、前記ポンプ部に当接して内側に延長形成される密閉部が形成され、前記密閉部は、前記中空を上側から密閉し、前記中身の上側への流出を防止する、請求項４に記載の化粧品容器。
【請求項６】
前記容器部は、チューブタイプで実現される、請求項１に記載の化粧品容器。
【請求項７】
前記キャップは、他面が開放され、前記ヘッド部に脱着可能に結合される、請求項２に記載の化粧品容器。
【請求項８】
前記キャップの一面は、平板に形成される、請求項７に記載の化粧品容器。
【請求項９】
前記吐出部は、前記ポンプ部と連通し、前記中身が吐き出される吐出孔と、使用者の外力が加えられ、上下移動するボタン部と、を有する、請求項２に記載の化粧品容器。